(57)【要約】  本発明は、ショーケース用棚板に関する。ローラユニットは、ローラプレートの底面の両側に保持溝を備えて形成され、各固定フレームは、ローラプレートの保持溝に嵌合される垂直リブを備えて形成された底部と、ローラプレートの外面を包囲し、また、ローラプレートの取付溝の開口部を閉じる水平リブを備えて形成された垂直壁と、を有し、固定フレームが、ローラユニットのローラプレートの両側に、対になって相互に対応して取り付けられ、垂直壁は、連結ねじによって一体に連結されるように、端部キャップの両側壁に打抜かれたねじ孔に対応して、前端部および後端部にねじ連結孔を備えて形成される。
2010537705.tif 000002
【特許請求の範囲】
【請求項１】
ローラユニットと、固定フレームと、端部キャップと、を備えるショーケース用棚板であって、
前記ローラユニットは、ローラの両側端部に突出した取付シャフトが回転可能に挿入されるための複数の取付溝が設けられた両側壁を有する、Ｕ字型のローラプレートを備え、
前記固定フレームは、前記ローラが前記ローラユニットに装着された後に前記ローラが離脱することを防止するために前記取付溝の開口部を閉じつつ前記ローラプレートに連結され、
前記端部キャップは、前記固定フレームの前端部および後端部に嵌合され、
前記ローラユニットには、前記ローラプレートの底面の両側に保持溝が設けられ、前記固定フレームのそれぞれは、前記ローラプレートの前記保持溝に嵌合される垂直リブを備えて形成された底部と、前記ローラプレートの外面を包囲し、また、前記ローラプレートの前記取付溝の前記開口部を閉じる水平リブを備えて形成された垂直壁と、を有し、前記固定フレームが前記ローラユニットの前記ローラプレートの両側に対になって取り付けられ、前記垂直壁には、前端部および後端部に、前記端部キャップの両側壁に形成されたねじ孔とねじによって連結されるねじ連結孔が設けられる
ことを特徴とする棚板。
【請求項２】
請求項１に記載の棚板であって、
いずれか一方の前記固定フレームの、前記垂直壁には、その上部および下部に保持突起が設けられ、隣接する固定フレームの前記垂直壁には、前記保持突起に嵌合される嵌合突起が設けられ、前記保持突起と前記嵌合突起とが、水平に相互に結合される
ことを特徴とする棚板。
【請求項３】
請求項１または２に記載の棚板であって、
２本から６本の前記ローラユニットを連結して配列するために、連結フレームは、ローラユニットの第１および第２のローラプレートの前記保持溝に嵌合されるために両側に形成された垂直リブを有する底部と、前記第１および第２のローラプレートの隣接する外面を包囲するために前記底部の中心に形成され、また、前記第１および第２のローラプレートの取付溝の開口部を閉じるための水平リブを有する垂直壁と、を備え、
前記固定フレームは、前記第１のローラプレートおよび最後のローラプレートの露出した外面に取り付けられ、
前記前端部および前記後端部に取り付けられる前記端部キャップは、保持溝および挿入溝を備えて形成され、前記連結フレームが前記端部キャップ内に嵌合され前記端部キャップに固定される
ことを特徴とする棚板。
【請求項４】
請求項３に記載の棚板であって、
前記固定フレームの使用が単独であるのか、または、前記連結フレームとの併用であるのかによって、１本のローラユニットが単一のユニットとして単体で使用され得、または、２本、３本、もしくは６本のローラユニットが単一のユニットとして使用可能であり、前記端部キャップは、前記前端部および前記後端部に取り付けられるように、個々に形成される
ことを特徴とする棚板。
【発明の詳細な説明】
【発明の詳細な説明】
【０００１】
［技術分野］
本発明は、ショーケース用棚板に関し、より具体的には、複数のローラと、前端部および後端部における連結端部キャップと、を備えるローラユニットを支えるための固定フレームおよび連結フレームの構造が改良された、ショーケース用棚板に関する。
［背景技術］
一般に、コンビニエンスストア等に設置されるショーケース用棚板は、当該棚板の前端部に商品を陳列して、購買者が簡便に商品を識別し、また選択できるようにするためのものである。購買者が棚板の前端部から商品の一つを取ると、取られた商品の後ろに配置された次の商品は、ある傾斜角で傾斜している棚板の後端部から前端部への下り勾配により、摺動して前端部に移動することになる。棚板には、購買者によって取られた最初の商品によりそれまで占有されていた空間に向かって次の商品が移動するために、商品が接触する底面に複数のローラが装着されている。また、一直線に配列された状態に商品を陳列するために、間隔を定めるためのガイド部材も棚板に取り付けられている。
【０００２】
図１１から図１５に示すように、本発明者による韓国実用新案登録第２０−０３２７２３７号は、陳列商品の先入れ先出しのための複数のローラを備えるショーケース用棚板を開示している。
【０００３】
棚板上に保管された商品の摺動移動のための連結された複数のローラ３を備える、改良されたショーケース用棚板１の分解斜視図および断面図をそれぞれ示す、図１１および図１３を参照すると、ローラユニット２と、ケーシング４と、端部キャップ５と、ガイド部材９と、が設けられている。ローラユニット２は、ローラ３の両側端部に突出した取付シャフト３１を回転可能に挿入するために、複数の取付溝２２を両側壁２１に備えるＵ字型のローラプレート２３から形成される。ケーシング４は、ローラ３がローラユニット２に装着された後にローラ３が離脱することを防止するためにローラプレート２３の取付溝２２の開口部を閉じる、という目的のためのリブ４２をそれぞれ備えて形成された両側壁４１と、側壁と相互に接合し、冷気通風孔４４を備えて形成された底面４３と、を有する。端部キャップ５は、ケーシング４の前端部および後端部に連結される。ガイド部材９は、金属または合成樹脂材料で形成され、仕切りとしての機能を果たすために、端部キャップ５の挿入溝５１に、両端部で嵌合される。
【０００４】
しかしながら、先行技術におけるショーケース用棚板では、上記ローラユニットの機械加工、組立て、および連続的結合に問題があるだけでなく、原料および機械加工に関連して高額の費用が発生するその構造にもまた問題がある。棚板１では、各構成部品は、射出成形、押出成形、ダイカスト、加圧成形等によって、アルミニウム金属または合成樹脂材料で形成される。ローラユニット２はローラプレート２３を備え、ローラプレート２３は、複数のローラ３の取付シャフト３１が取り付けられるための取付溝２２を側壁に有するため、および、水平底面に複数の冷気通風孔２４を一定の間隔で有するために、射出成形される。このローラユニット２は、当技術分野で公知であり、複数のローラ３を装着する際の簡便さから、広く用いられている。ケーシング４は、ローラ３の離脱を防止し、ローラユニット２においてローラを装着することによって商品の円滑な摺動を促進するものであり、ローラユニット２および陳列商品の荷重に耐えるために、高耐久性を有するアルミニウム材料を押出成形することにより形成される。ケーシング４の前端部および後端部にねじ連結される端部キャップ５は、射出成形される。ガイド部材９は、合成樹脂材料を射出成形することにより形成されるか、または金属板を加圧成形することによって形成される。
【０００５】
ケーシング４は、先行技術におけるショーケース用棚板１の構成部品の１つであり、連続押出成形によって長手方向に成形され、予め定められた長さに切断される。ケーシング４は、冷気の円滑な循環が促進されるように、ローラユニット２のローラプレート２３の冷気通風孔２４に対応して、底面４３に冷気通風孔４４を備えて、加圧成形により成形される。ケーシング４は、端部キャップを固定する連結ねじ８を挿入するために、前端部および後端部に、打抜きによる孔４５を備えて形成される。
【０００６】
先行技術におけるショーケース用棚板１は、費用の点で不利である。なぜならば、ケーシング４は、単一の構成要素として押出成形されるため原料費が高額となり、また、冷気通風孔４４を形成するのに加圧成形され、冷気通風孔４４の機械加工および仕上げ加工に更なる費用がかかるからである。
【０００７】
その上、比較的体積の大きい商品をローラユニット２の上で円滑に摺動させる目的で、図１４の断面図に示されるように、ケーシング４内にローラユニット２を２列に配列するためケーシング４が上端部にリブ４７を備えて形成された中央壁４６を有する場合、原料、並びに、冷気通風孔４４の加圧成形及び仕上げ加工に係る上記費用は、二倍以上に増大し得る。更に、商品の陳列間隔の頻繁な調節または体積の大きい商品の陳列の目的で、図１５に示されるように、ローラユニット２の配列を３〜６列に増加させて広い摺動領域を提供するためには、中央壁４６およびリブ４７が一定の間隔で据え付けられたケーシング４のサイズはローラユニット２の数に比例して増大しなければならない。加えて、大きいサイズのケーシング４の押出成形中、円滑さを保つのは困難であり、結果としてケーシング４は歪みが生じる傾向にある。押出成形における不具合から発生した、そのような欠陥ケーシング４を組み立てることは不可能である。したがって、ケーシング４は、不都合なことに、１列または２列にしかローラユニット２を配列できないような小さいサイズに限定される。
［発明の開示］
［技術的問題］
よって本発明は、先行技術の上記の不都合、および他の何らかの不都合を解決するために、導き出されたものである。本発明の目的は、商品の円滑な摺動運動を維持しつつ、生産性を向上させるために、複数のローラを備える単一のローラユニットの使用または複数のそのようなローラユニットの連結を単純化すること、成形および原料に係る費用を削減すること、および、機械加工および組立ての工程を最小限にすること、を実現したショーケース用棚板であって、先行技術のケーシングが固定フレームと連結フレームとに分離した構造に改良されたショーケース用棚板を提供することである。
［技術的解決］
上記の目的を達成するために、本発明によれば、ローラユニットと、固定フレームと、端部キャップと、ガイド部材と、を備えるショーケース用棚板が提供される。ローラユニットは、ローラの両側端部に突出した取付シャフトが回転可能に挿入されるための複数の取付溝、を備えて形成された両側壁を有する、Ｕ字型のローラプレートで形成される。固定フレームは、ローラがローラユニットに装着された後に、ローラが離脱することを防止するために、取付溝の開口部を閉じつつローラプレートに連結される。端部キャップは、固定フレームの前端部および後端部に連結される。ガイド部材は、仕切りとしての機能を果たすために、端部キャップの挿入溝に挿入される両端部を備える。上記ショーケース用棚板は、ローラユニットが、ローラプレートの底面両側に保持溝を備えて形成されており、各固定フレームが、ローラプレートの保持溝に嵌合される垂直リブを備えて形成された底部と、ローラプレートの外面を包囲し、また、ローラプレートの取付溝の開口部を閉じる水平リブを備えて形成された垂直壁と、を有し、固定フレームが、ローラユニットのローラプレートの両側に、対になって相互に対応して取り付けられることを特徴としている。その際、垂直壁は、連結ねじによって一体に連結されるように、端部キャップの両側壁に形成されたねじ孔に対応して、前端部および後端部にねじ連結孔を備えて形成される。
【０００８】
本発明の上記目的を達成するために、本発明によるショーケース用棚板においては、いずれか一方の固定フレームの垂直壁は、その上部および下部に、外向きに形成された保持突起を備えて形成され、隣接する固定フレームの垂直壁には、保持突起に嵌合される嵌合突起が設けられる。その結果、保持突起と嵌合突起とが、水平状態で相互に結合される。
【０００９】
本発明の上記目的を達成するために、本発明によるショーケース用棚板においては、
２〜６本のローラユニットを連結して配列できるように、連結フレームは、第１および第２のローラプレートの保持溝に嵌合される垂直リブと、第１および第２のローラプレートの取付溝の開口部を閉じるための水平リブと、を備え、端部キャップ内に嵌合される。
【００１０】
本発明の上記目的を達成するために、本発明によるショーケース用棚板においては、固定フレームの単独での使用かまたは連結フレームと併せての使用かによって、１本のローラユニットが単独で使用されてもよく、または、２本、３本、もしくは６本のローラユニットが単一のユニットとして相互に連結されることも可能である。その場合、前端部および後端部への端部キャップの取付けを単純化するために、端部キャップは単体で形成される。
［有利な効果］
本発明によれば、単一のローラユニットまたは連結された複数のローラユニットの両側を包囲するように改良された構造において、複数のローラを備える単一のローラユニットまたは複数のそのようなローラユニットは、固定フレームを用いることによって、また、加えて連結フレームを用いることによって、水平状態で簡単に取り付け可能である。これにより、構造が単純化され得、成形および原料の費用が最小限になる。更に、冷気通風孔のための機械加工または仕上げ作業が不要となり、その結果、生産性が向上し、製造コストが好適に削減され得る。
【図面の簡単な説明】
【００１１】
本発明の目的、特徴、および利点は、付随する以下の図面と併せて、以下の詳細な説明からより明確に理解されるであろう。
【図１】本発明の好ましい実施形態のショーケース用棚板を示す分解斜視図である。
【図２−３】図１のショーケース用棚板の組立状態を示す断面図である。
【図４】図１の別の好ましい実施形態のショーケース用棚板を示す断面図である。
【図５−６】ローラユニットが２列に相互に連結されている、本発明の更に別の好ましい実施形態のショーケース用棚板をそれぞれ示す分解斜視図および組立断面図である。
【図７−８】ローラユニットが３列に相互に連結されている、本発明の更に別の好ましい実施形態のショーケース用棚板をそれぞれ示す分解斜視図および組立断面図である。
【図９−１０】ローラユニットが６列に相互に連結されている、本発明の更に別の好ましい実施形態のショーケース用棚板をそれぞれ示す分解斜視図および組立断面図である。
【図１１】先行技術のショーケース用棚板を示す、分解斜視図である。
【図１２−１３】図１１の先行技術の棚板を示し、Ａ−Ａ線およびＢ−Ｂ線のそれぞれに沿った断面図である。
【図１４】ローラユニットが２列に配列された先行技術の棚板を示す断面図である。
【図１５】図１１の棚板を示す立断面図である。
【発明を実施するための形態】
【００１２】
これ以降、本発明によるショーケース用棚板を、付随する図面を参照して、その構造および働きについてより詳細に説明する。図面において、図１１に示されるものと同一の構成部品は同一の参照符号によって示される。
【００１３】
図１は、本発明の好ましい実施形態のショーケース用棚板を示す分解斜視図である。図１を参照すると、棚板１は、複数のローラ３を備えるローラユニット２と端部キャップ５と固定フレーム６とが相互に連結した構造である。ローラユニット２は、先行技術の構造と同様に、ローラ３の両側端部に突出した取付シャフト３１が挿入されるための複数の取付溝２２を両側壁２１に備えて形成された、略Ｕ字型のローラプレート２３を有する。本発明によるショーケース用棚板１の主要部である固定フレームが、ローラユニット２に連結されて、ローラ３の離脱を防止するために取付溝２２の開口部を閉じる点を除いて、端部キャップ５は、先行技術の構造と同様に固定フレーム６の前端部および後端部に連結される。図１１に示される先行技術の構造におけるのと同じく、仕切りとしての機能を果たすために、端部キャップ５の挿入溝５１に挿入されるガイド部材９が、加えられてもよい。
【００１４】
ショーケース用棚板の分解斜視図を示す図１、分解された状態及び組立てられた状態の棚板の断面図をそれぞれ示す図２及び図３を参照すると、ローラユニット２のローラプレート２３は、底面の両側に保持溝２５を備えて形成されている。本発明において、ローラユニット２を固定する機能を果たす、主要部である固定フレーム６は、ローラプレート２３の保持溝２５に嵌合される垂直リブ６２を備えて形成された底部６１と、ローラプレート２３の外面を包囲し、また、ローラプレート２３の取付溝２２の開口部を閉じる水平リブ６４を備えて形成された垂直壁６３と、をそれぞれ有する。固定フレーム６は、ローラユニット２のローラプレート２３の両側に、対になって相互に対応して取り付けられる。固定フレーム６は、垂直壁６３の前端部および後端部に、打抜かれたねじ連結孔６５を備える。端部キャップ５は、その両側壁に形成されたねじ孔５２を備える。固定フレーム６のねじ連結孔６５と、端部キャップ５のねじ孔５２とは相互に対応し、連結ねじ８を用いて連結される。
【００１５】
固定フレーム６は単一構造であり、ローラユニット２１のローラプレート２３の両側に、対応して取り付けられる。したがって、固定フレーム６は、単一の型を用いてアルミニウム材料を押出成形することによって形成可能であり、また、押出成形したものを所定の長さに切断した直後に、早速使用され得る。したがって、成形および原料の費用を削減し得、固定フレーム６の組付けは、２つの切断工程を経た直後に、簡便に実現され得る。
【００１６】
図４に示される本発明の別の好ましい実施形態によれば、ローラ３がローラユニット２から離脱することを防止してローラ３を支持する固定フレームのうちの１本は、その上部および下部に、外向きに突出する保持突起６６を備えて形成される。他方の固定フレーム６は、保持突起６６に対応して、その上部および下部に嵌合突起６７を備えて形成される。その結果、嵌合突起６７は保持突起６６の中に挿入され、複数の組立て済みの上記棚板１は、保持突起６６と嵌合突起６７とが上記のように水平状態でスナップ嵌めされることで、相互に連結され得る。
【００１７】
図５および図６に示される本発明の更に別の好ましい実施形態によれば、連結フレーム７は、ローラユニット２の第１および第２のローラプレート２３の保持溝２５に嵌合される垂直リブ７２を両側に備えて形成された底部７１と、第１および第２のローラプレート２３の隣接する外面を包囲し、また、第１および第２のローラプレート２３の取付溝２２の開口部を閉じる水平リブ７４を備えて形成された垂直壁７３と、を有する。
【００１８】
各端部キャップ５は、保持溝５３および挿入溝５４を、それぞれ底面部、および、連結フレーム７の前端部および後端部が挿入される垂直部に備えて形成される。したがって、２本のローラユニット２は、固定フレーム６および１本の連結フレーム７に簡便に連結されることが可能であり、幅が２倍またはそれ以上に拡大された広い摺動領域を備える単一の棚板１が提供される。
【００１９】
図７および図８に示される本発明の更に別の好ましい実施形態によれば、３本のローラユニット２は、ローラユニット２の両側にそれぞれ連結される固定フレーム６と、２本の連結フレーム７と、に簡単に連結されることが可能であり、幅が３倍に拡大された広い摺動領域を備える単一の棚板１が提供される。
【００２０】
図９および図１０に示される本発明の更に別の好ましい実施形態によれば、６本のローラユニット２７は、ローラユニット２の両側にそれぞれ連結される固定フレーム６と、５本の連結フレーム７と、に簡単に連結されることが可能であり、幅が６倍に拡大された広い摺動領域を備える単一の棚板１が提供される。
【００２１】
固定フレーム６および連結フレーム７は、棚板１の摺動領域のサイズを変更しなければならない場合に、形状に変化のない同一の構造に保たれながら、切断長が調整されても良い。しかしながら、複数のローラユニット２を配列するために、端部キャップ５は、保持溝５３と、連結フレーム７と同じ数の嵌合溝５４と、を備えて形成されなければならない。したがって、所望の摺動領域を容易に得るためには、連結フレーム７は、１本、２本、３本、または５本の単位で追加されるよう、個々に形成されなければならない。
【００２２】
上述のように、本発明によれば、単一のローラユニット２と連結するための固定フレーム６と、２本、３本、または６本のローラユニット２を単純な構造で連続して配列するための連結フレーム７と、を用いることによって、所望の摺動領域を有する単一の棚板１を得ることが可能である。それゆえに、棚板の押出成形は単純化され、組立作業はスナップ嵌めにより簡便になり、必要とされる原料は低減され、冷気通風孔のための打抜きおよび仕上げ作業は省略可能となり、その結果、低コストで棚板を提供することができる。更に、使用中に破損した場合、棚板の構成部品を新しいものと簡単に交換することが可能である。
【００２３】
好ましい実施形態を参照して上述のとおり説明したが、これらの実施形態は本発明を限定する役割を果たすのではなく、本発明および添付の特許請求の範囲の趣旨および範囲から逸脱することなく、当業者によって本発明の変形、修正、および均等物の製造が可能であることが理解されるべきである。
【図１】
2010537705.tif 000003
【図２】
2010537705.tif 000004
【図３】
2010537705.tif 000005
【図４】
2010537705.tif 000006
【図５】
2010537705.tif 000007
【図６】
2010537705.tif 000008
【図７】
2010537705.tif 000009
【図８】
2010537705.tif 000010
【図９】
2010537705.tif 000011
【図１０】
2010537705.tif 000012
【図１１】
2010537705.tif 000013
【図１２】
2010537705.tif 000014
【図１３】
2010537705.tif 000015
【図１４】
2010537705.tif 000016
【図１５】
2010537705.tif 000017
【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
ローラユニットと、固定フレームと、端部キャップと、を備えるショーケース用棚板であって、
前記ローラユニットは、ローラの両側端部に突出した取付シャフトが回転可能に挿入されるための複数の取付溝が設けられた両側壁を有する、Ｕ字型のローラプレートを備え、
前記固定フレームは、前記ローラが前記ローラユニットに装着された後に前記ローラが離脱することを防止するために前記取付溝の開口部を閉じつつ前記ローラプレートに連結され、
前記端部キャップは、前記固定フレームの前端部および後端部に嵌合され、
前記ローラユニットには、前記ローラプレートの底面の両側に保持溝が設けられ、前記固定フレームのそれぞれは、前記ローラプレートの前記保持溝に嵌合される垂直リブを備えて形成された底部と、前記ローラプレートの外面を包囲し、また、前記ローラプレートの前記取付溝の前記開口部を閉じる水平リブを備えて形成された垂直壁と、を有し、前記固定フレームが前記ローラユニットの前記ローラプレートの両側に対になって取り付けられ、前記垂直壁には、前端部および後端部に、前記端部キャップの両側壁に形成されたねじ孔とねじによって連結されるねじ連結孔が設けられる
ことを特徴とする棚板。
【請求項２】
請求項１に記載の棚板であって、
いずれか一方の前記固定フレームの、前記垂直壁には、その上部および下部に保持突起が設けられ、前記いずれか一方の固定フレームに対向する固定フレームの前記垂直壁には、前記保持突起に嵌合される嵌合突起が設けられ、前記保持突起と前記嵌合突起とが、水平に相互に結合される
ことを特徴とする棚板。
【請求項３】
請求項１または２に記載の棚板であって、
２本から６本の前記ローラユニットを連結して配列するために、複数の連結フレームのそれぞれは、ローラユニットの第１および第２のローラプレートの前記保持溝に嵌合されるために両側に形成された垂直リブを有する底部と、前記第１および第２のローラプレートの隣接する外面を包囲するために前記底部の中心に形成され、また、前記第１および第２のローラプレートの取付溝の開口部を閉じるための水平リブを有する垂直壁と、を備え、
前記固定フレームは、第１のローラユニット、およびその第１のローラユニットから見て終端に配置される最後のローラユニットの露出した外面に取り付けられ、第１のローラユニットおよび最後のローラユニットは、複数のローラユニットにおける両端のローラユニットを構成しており、
前記前端部および前記後端部に取り付けられる前記端部キャップは、保持溝および挿入溝を備えて形成され、前記複数の連結フレームが前記端部キャップ内に嵌合され前記端部キャップに固定される
ことを特徴とする棚板。
【請求項４】
請求項３に記載の棚板であって、
前記固定フレームの使用が単独であるのか、または、前記複数の連結フレームとの併用であるのかによって、１本のローラユニットが単一のユニットとして単体で使用され得、または、２本、３本、もしくは６本のローラユニットが単一のユニットとして使用可能であり、前記端部キャップは、前記前端部および前記後端部に取り付けられるように、個々に形成される
ことを特徴とする棚板。
【手続補正２】
【補正対象書類名】明細書
【補正対象項目名】０００３
【補正方法】変更
【補正の内容】
【０００３】
棚板上に保管された商品の摺動移動のための連結された複数のローラ３を備える、改良されたショーケース用棚板１の分解斜視図および断面図をそれぞれ示す、図１１ないし図１３を参照すると、ローラユニット２と、ケーシング４と、端部キャップ５と、ガイド部材９と、が設けられている。ローラユニット２は、ローラ３の両側端部に突出した取付シャフト３１を回転可能に挿入するために、複数の取付溝２２を両側壁２１に備えるＵ字型のローラプレート２３から形成される。ケーシング４は、ローラ３がローラユニット２に装着された後にローラ３が離脱することを防止するためにローラプレート２３の取付溝２２の開口部を閉じる、という目的のためのリブ４２をそれぞれ備えて形成された両側壁４１と、側壁と相互に接合し、冷気通風孔４４を備えて形成された底面４３と、を有する。端部キャップ５は、ケーシング４の前端部および後端部に連結される。ガイド部材９は、金属または合成樹脂材料で形成され、仕切りとしての機能を果たすために、端部キャップ５の挿入溝５１に、両端部で嵌合される。
【手続補正３】
【補正対象書類名】明細書
【補正対象項目名】０００８
【補正方法】変更
【補正の内容】
【０００８】
本発明の上記目的を達成するために、本発明によるショーケース用棚板においては、いずれか一方の固定フレームの垂直壁は、その上部および下部に、外向きに形成された保持突起を備えて形成され、いずれか一方の固定フレームに対向する固定フレームの垂直壁には、保持突起に嵌合される嵌合突起が設けられる。その結果、保持突起と嵌合突起とが、水平状態で相互に結合される。
【手続補正４】
【補正対象書類名】明細書
【補正対象項目名】０００９
【補正方法】変更
【補正の内容】
【０００９】
本発明の上記目的を達成するために、本発明によるショーケース用棚板においては、２〜６本のローラユニットを連結して配列できるように、複数の連結フレームのそれぞれは、第１および第２のローラプレートの保持溝に嵌合される垂直リブと、第１および第２のローラプレートの取付溝の開口部を閉じるための水平リブと、を備え、端部キャップ内に嵌合される。
【手続補正５】
【補正対象書類名】明細書
【補正対象項目名】００１５
【補正方法】変更
【補正の内容】
【００１５】
固定フレーム６は単一構造であり、ローラユニット２のローラプレート２３の両側に、対応して取り付けられる。したがって、固定フレーム６は、単一の型を用いてアルミニウム材料を押出成形することによって形成可能であり、また、押出成形したものを所定の長さに切断した直後に、早速使用され得る。したがって、成形および原料の費用を削減し得、固定フレーム６の組付けは、２つの切断工程を経た直後に、簡便に実現され得る。
【手続補正６】
【補正対象書類名】明細書
【補正対象項目名】００２０
【補正方法】変更
【補正の内容】
【００２０】
図９および図１０に示される本発明の更に別の好ましい実施形態によれば、６本のローラユニット２は、ローラユニット２の両側にそれぞれ連結される固定フレーム６と、５本の連結フレーム７と、に簡単に連結されることが可能であり、幅が６倍に拡大された広い摺動領域を備える単一の棚板１が提供される。
【手続補正７】
【補正対象書類名】明細書
【補正対象項目名】００２１
【補正方法】変更
【補正の内容】
【００２１】
固定フレーム６および連結フレーム７は、棚板１の摺動領域のサイズを変更しなければならない場合に、形状に変化のない同一の構造に保たれながら、切断長が調整されても良い。しかしながら、複数のローラユニット２を配列するために、端部キャップ５は、保持溝５３と、連結フレーム７と同じ数の挿入溝５４と、を備えて形成されなければならない。したがって、所望の摺動領域を容易に得るためには、連結フレーム７は、１本、２本、３本、または５本の単位で追加されるよう、個々に形成されなければならない。
【国際調査報告】
2010537705.tif 000018
2010537705.tif 000019